(57)【要約】【課題】スピーディかつ容易に組立てることができ、接続片を如何なる紙板でも製作することができるため、環境汚染を防いで廃材を再利用できる、紙箱組立構造を提供する。【解決手段】紙箱組立構造は、接続片１、少なくとも１つの第１の箱体２及び少なくとも１つの第２の箱体３を備える。接続片１は、第１の挿入片１０と、第１の挿入片１０と接続した第２の挿入片１１とを有する。第１の挿入片１０と第２の挿入片１１との間には、折り曲げ接続部１２が設けられる。折り曲げ接続部１２の両端は、第１の挿入片１０と第２の挿入片１１との間に形成された挿設空間１３を有する。第１の箱体２は、複数の第１の板体２０が折り曲げられて成形される。各第１の板体２０間には、折り曲げ部２２が設けられる。折り曲げ部２２は、少なくとも１つの開口部２４を有する。開口部２４には、第１の挿入片１０が挿入される。【選択図】図２
0003207161.tif 000002
【実用新案登録請求の範囲】
【請求項１】
接続片、少なくとも１つの第１の箱体及び少なくとも１つの第２の箱体を備えた紙箱組立構造であって、
前記接続片は、第１の挿入片と、前記第１の挿入片と接続した第２の挿入片と、を有し、前記第１の挿入片と前記第２の挿入片との間には、折り曲げ接続部が設けられ、前記折り曲げ接続部の両端は、前記第１の挿入片と前記第２の挿入片との間に形成された挿設空間を有し、
前記第１の箱体は、複数の第１の板体が折り曲げられて成形され、各前記第１の板体間には、折り曲げ部が設けられ、前記折り曲げ部は、少なくとも１つの開口部を有し、前記開口部には、前記第１の挿入片が挿入され、
前記第２の箱体は、複数の第２の板体が折り曲げられて成形され、各前記第２の板体間には、折り曲げ部が設けられ、前記折り曲げ部は、少なくとも１つの挿入口を有し、前記挿入口には、前記第２の挿入片が挿入され、前記折り曲げ接続部は、前記第１の板体と前記第２の板体との間に位置し、前記第１の板体及び前記第２の板体は、前記挿設空間の間にそれぞれ位置することを特徴とする紙箱組立構造。
【請求項２】
前記第１の挿入片は、第１のメインプレートと、前記第１のメインプレートの両側から延びた第１のサイドウイングプレートと、を含み、
各前記第１のサイドウイングプレートと前記第１のメインプレートとの間には、第１の接続折り曲げ部が設けられることを特徴とする請求項１に記載の紙箱組立構造。
【請求項３】
前記第２の挿入片は、第２のメインプレートと、前記第２のメインプレートの両側から延びた第２のサイドウイングプレートと、を含み、
各前記第２のサイドウイングプレートと前記第２のメインプレートとの間には、第２の接続折り曲げ部が設けられ、前記第２のメインプレートと前記第１のメインプレートとは、前記折り曲げ接続部を介して接続されることを特徴とする請求項２に記載の紙箱組立構造。
【請求項４】
前記挿設空間は、前記第１のサイドウイングプレートと前記第２のサイドウイングプレートとの間に形成されることを特徴とする請求項３に記載の紙箱組立構造。
【請求項５】
前記第１のサイドウイングプレートは、前記挿設空間に隣り合う箇所が折り曲げられて成形された第１の当接プレートを有することを特徴とする請求項４に記載の紙箱組立構造。
【請求項６】
前記第２のサイドウイングプレートは、前記挿設空間に隣り合う箇所が折り曲げられて成形された第２の当接プレートを有することを特徴とする請求項４に記載の紙箱組立構造。
【請求項７】
前記第１の板体は、第１の貫通口を有し、前記第２の板体は、前記第１の貫通口と連通する第２の貫通口を有することを特徴とする請求項１に記載の紙箱組立構造。
【考案の詳細な説明】
【技術分野】
【０００１】
本考案は、紙箱組立の技術に関するものであり、さらに詳しくは、紙箱組立構造に関するものである。
【背景技術】
【０００２】
猫は動く物体、箱及び袋等に関心を示し、特に、猫が入り込むことができる紙箱、容器などは、猫が遊んだり隠れたりすることができるため、これらのものに対しては猫は強い関心を示す習性がある。
【０００３】
飼い主は、猫が箱で十分遊んだり運動したりすることができるように、プラスチック製の猫専用の猫ハウスを購入するか、紙製の猫小屋を購入することが一般的である。これらのタイプの猫ハウスは、猫が遊んだり隠れたりすることができるが、価格が高めである上、製造が煩雑であり、廃棄物を再利用することができないため、環境に対して好ましくなかった。
【考案の概要】
【考案が解決しようとする課題】
【０００４】
従って、本考案の主な課題は、各箱体をスピーディかつ容易に組立てることができ、環境汚染を防いで廃材が再利用できる紙箱組立構造を提供することにある。
本考案のもう一つの課題は、接続片を接続した箱に効果的に固定することができる紙箱組立構造を提供することにある。
【課題を解決するための手段】
【０００５】
本考案者は、前記の本考案の課題を解決するため鋭意検討を重ねた結果、紙板を剪断して形成させた接続片を活用することにより前記課題を解決できる点に着目し、本考案に想到するに至った。
すなわち、本考案の目的は、各箱体に接続片を挿入して接続するだけでスピーディかつ容易に組立てることができ、如何なる紙板でも接続片を製作することができるため、環境汚染を防いで廃材が再利用できる紙箱組立構造を提供することにある。
本考案のもう一つの目的は、接続片が紙板を剪断して形成されているため、各サイドウイングプレートを折り曲げて開口部又は挿入口へ挿入した後、紙板自身の材料特性に依り
、各サイドウイングプレートが折り曲げられていない位置まで略回復し、接続した箱に接続片を効果的に固定することができる紙箱組立構造を提供することにある。
かくして、本考案の要旨は次に示すとおりである。
（１）接続片、少なくとも１つの第１の箱体及び少なくとも１つの第２の箱体を備えた紙箱組立構造であって、
前記接続片は、第１の挿入片と、前記第１の挿入片と接続した第２の挿入片と、を有し、前記第１の挿入片と前記第２の挿入片との間には、折り曲げ接続部が設けられ、前記折り曲げ接続部の両端は、前記第１の挿入片と前記第２の挿入片との間に形成された挿設空間を有し、
前記第１の箱体は、複数の第１の板体が折り曲げられて成形され、各前記第１の板体間には、折り曲げ部が設けられ、前記折り曲げ部は、少なくとも１つの開口部を有し、前記開口部には、前記第１の挿入片が挿入され、
前記第２の箱体は、複数の第２の板体が折り曲げられて成形され、各前記第２の板体間には、折り曲げ部が設けられ、前記折り曲げ部は、少なくとも１つの挿入口を有し、前記挿入口には、前記第２の挿入片が挿入され、前記折り曲げ接続部は、前記第１の板体と前記第２の板体との間に位置し、前記第１の板体及び前記第２の板体は、前記挿設空間の間にそれぞれ位置することを特徴とする紙箱組立構造。
（２）前記第１の挿入片は、第１のメインプレートと、前記第１のメインプレートの両側から延びた第１のサイドウイングプレートと、を含み、
各前記第１のサイドウイングプレートと前記第１のメインプレートとの間には、第１の接続折り曲げ部が設けられることを特徴とする前記（１）に記載の紙箱組立構造。
（３）前記第２の挿入片は、第２のメインプレートと、前記第２のメインプレートの両側から延びた第２のサイドウイングプレートと、を含み、
各前記第２のサイドウイングプレートと前記第２のメインプレートとの間には、第２の接続折り曲げ部が設けられ、前記第２のメインプレートと前記第１のメインプレートとは、前記折り曲げ接続部を介して接続されることを特徴とする前記（２）に記載の紙箱組立構造。
（４）前記挿設空間は、前記第１のサイドウイングプレートと前記第２のサイドウイングプレートとの間に形成されることを特徴とする前記（３）に記載の紙箱組立構造。
（５）前記第１のサイドウイングプレートは、前記挿設空間に隣り合う箇所が折り曲げられて成形された第１の当接プレートを有することを特徴とする前記（４）に記載の紙箱組立構造。
（６）前記第２のサイドウイングプレートは、前記挿設空間に隣り合う箇所が折り曲げられて成形された第２の当接プレートを有することを特徴とする前記（４）に記載の紙箱組立構造。
（７）前記第１の板体は、第１の貫通口を有し、前記第２の板体は、前記第１の貫通口と連通する第２の貫通口を有することを特徴とする前記（１）に記載の紙箱組立構造。
【考案の効果】
【０００６】
本考案は、前記の通りの構成からなるものであり、各種紙箱を組み合わせることにより、各紙箱内の空間を連通し、接続片を各紙箱間に挿入して固定するだけで、猫が使用する猫箱をスピーディーかつ  容易に組み立てて完成させることができると共に、接続片の製作に使用する紙板として廃材を再利用することもできる。
【図面の簡単な説明】
【０００７】
【図１】図１は、本考案の一実施形態に係る紙箱組立構造を示す斜視図である。
【図２】図２は、本考案の一実施形態に係る紙箱組立構造を示す分解斜視図である。
【図３】図３は、本考案の一実施形態に係る紙箱組立構造の接続片を示す斜視図である。
【図４】図４は、本考案の一実施形態に係る紙箱組立構造の接続片の１回目折り曲げ構造を示す説明図である。
【図５】図５は、本考案の一実施形態に係る紙箱組立構造の接続片の２回目折り曲げ構造を示す説明図である。
【図６】図６は、本考案の一実施形態に係る紙箱組立構造の接続片を箱体に挿入する状態を示す説明図である。
【図７】図７は、本考案の一実施形態に係る紙箱組立構造の接続片を箱体に挿入したときの箱体内を示す説明図である。
【考案を実施するための形態】
【０００８】
図１、図２及び図３を参照する。図１は、本考案の一実施形態に係る紙箱組立構造を示す斜視図である。図２は、本考案の一実施形態に係る紙箱組立構造を示す分解斜視図である。図３は、本考案の一実施形態に係る紙箱組立構造の接続片を示す斜視図である。図１、図２及び図３に示すように、本考案の一実施形態に係る紙箱組立構造は、少なくとも接続片１、第１の箱体２及び第２の箱体３から構成されてなる。接続片１は、第１の挿入片１０と、第１の挿入片１０と接続した第２の挿入片１１と、を含む。第１の挿入片１０と第２の挿入片１１との間には、折り曲げ接続部１２が設けられる。折り曲げ接続部１２の両端は、第１の挿入片１０と第２の挿入片１１との間に形成された挿設空間１３を有する。第１の箱体２は、複数の第１の板体２０が折り曲げられて成形される。各第１の板体２０間には、折り曲げ部２２が設けられる。折り曲げ部２２は、少なくとも１つの開口部２４を有する。開口部２４には、第１の挿入片１０が挿入される。第２の箱体３は、複数の第２の板体３０が折り曲げられて成形される。各第２の板体３０間には、折り曲げ部３２が設けられる。折り曲げ部３２は、少なくとも１つの挿入口３４を有する。挿入口３４には、第２の挿入片１１が挿入される。折り曲げ接続部１２は、第１の板体２０と第２の板体３０との間に位置し、第１の板体２０及び第２の板体３０は、挿設空間１３間にそれぞれ位置する。
【０００９】
上述した第１の挿入片１０は、第１のメインプレート１００と、第１のメインプレート１００の両側から延びた第１のサイドウイングプレート１０２と、を含む。各第１のサイドウイングプレート１０２と第１のメインプレート１００との間には、第１の接続折り曲げ部１０４が設けられる。上述した第２の挿入片１１は、第２のメインプレート１１０と、第２のメインプレート１１０の両側から延びた第２のサイドウイングプレート１１２と、を含む。各第２のサイドウイングプレート１１２と第２のメインプレート１１０との間には、第２の接続折り曲げ部１１４が設けられる。第２のメインプレート１１０と第１のメインプレート１００とは、折り曲げ接続部１２を介して接続される。
【００１０】
上述した挿設空間１３は、第１のサイドウイングプレート１０２と第２のサイドウイングプレート１１２との間に形成される。第１のサイドウイングプレート１０２は、挿設空間１３に隣り合う箇所が折り曲げられて成形された第１の当接プレート１０２０を有する。第２のサイドウイングプレート１１２は、挿設空間１３に隣り合う箇所が折り曲げられて成形された第２の当接プレート１１２０を有する。第１の板体２０は、第１の貫通口２００を有し、第２の板体３０は、第１の貫通口２００と連通する第２の貫通口３００を有する。
【００１１】
図４、図５、図６及び図７を参照する。図４は、本考案の一実施形態に係る紙箱組立構造の接続片の１回目折り曲げ構造を示す説明図である。図５は、本考案の一実施形態に係る紙箱組立構造の接続片の２回目折り曲げ構造を示す説明図である。図６は、本考案の一実施形態に係る紙箱組立構造の接続片を箱体に挿入する状態を示す説明図である。図７は、本考案の一実施形態に係る紙箱組立構造の接続片を箱体に挿入したときの箱体内を示す説明図である。図４及び図５に示すように、接続片１を第１の箱体２及び第２の箱体３に挿入して固定する前に、接続片１を折り曲げる。まず、第１の挿入片１０及び第２の挿入片１１を折り曲げ接続部１２に沿って二つ折りし、第１の挿入片１０と第２の挿入片１１との間の適宜な箇所をカットして挿設空間１３を形成する。この挿設空間１３は、第１の挿入片１０と第２の挿入片１１との間で、折り曲げ接続部１２の両端に位置する。
【００１２】
上述の初期折り曲げ及びカットを行った後、第１の挿入片１０及び第２の挿入片１１上の折り曲げ接続部１２と接続されていない部分を二つ折りして第１のサイドウイングプレート１０２及び第２のサイドウイングプレート１１２を成形する。即ち、第１の挿入片１０の折り曲げ接続部１２と接続されていない両側辺を内側へ二つ折りして２つの第１のサイドウイングプレート１０２を成形し、第２の挿入片１１に対しても同様のステップを行う。
【００１３】
接続片１を折り曲げた後、図６及び図７には、第１の箱体２及び第２の箱体３の２つの箱体のみが示され、少なくとも２つの箱体が必要であるが、実際には箱体の数及び配列位置を必要に応じて増減してもよい。まず、図６及び図７に示すように、第１の箱体２及び第２の箱体３を配列させる際、第１の板体２０の第１の貫通口２００と第２の板体３０の第２の貫通口３００とを連通させ、最も重要な点は、第１の箱体２上の折り曲げ部２２の開口部２４が、第２の箱体３の折り曲げ部３２の挿入口３４に対応するように形成されなければならない点である（図２を参照する）。その後、接続片１上の既に折り曲げられた第１の挿入片１０を開口部２４へ挿入し、第２の挿入片１１を挿入口３４へ挿入すると、第１の挿入片１０と第２の挿入片１１との間の折り曲げ接続部１２は、第１の板体２０及び第２の板体３０が貼り合わされた箇所に位置する。
【００１４】
第１の挿入片１０を開口部２４へ挿入した後、接続片１が紙板を剪断して形成されているため、各第１のサイドウイングプレート１０２及び第２のサイドウイングプレート１１２を折り曲げて開口部２４及び挿入口３４へ挿入した後、紙板自身の材料特性に依り、各第１のサイドウイングプレート１０２及び第２のサイドウイングプレート１１２が折り曲げられていない位置まで略回復し、第１のサイドウイングプレート１０２及び第２のサイドウイングプレート１１２を第１の箱体２及び第２の箱体３の内面にそれぞれ貼り合わせると、接続した箱体に接続片１が効果的に固定され、第１のサイドウイングプレート１０２上の第１の当接プレート１０２０及び第２のサイドウイングプレート１１２上の第２の当接プレート１１２０が第１の板体２０及び第２の板体３０に当接されるため、第１の挿入片１０及び第２の挿入片１１を介して組み合わせた第１の箱体２及び第２の箱体３の構造強度を高めることができる。
【００１５】
上述したことから分かるように、本考案は各種紙箱を組み合わせて各紙箱内の空間を連通し、接続片１を各紙箱間に挿入して固定するだけで、猫が使用する猫箱をスピーディかつ容易に組立てて完成させることができるとともに、接続片１の製作に使用する紙板に様々な物を利用することができるため、環境汚染を防いで廃材を再利用することができる。
【符号の説明】
【００１６】
１  接続片
２  第１の箱体
３  第２の箱体
１０  第１の挿入片
１１  第２の挿入片
１２  折り曲げ接続部
１３  挿設空間
２０  第１の板体
２２  折り曲げ部
２４  開口部
３０  第２の板体
３２  折り曲げ部
３４  挿入口
１００  第１のメインプレート
１０２  第１のサイドウイングプレート
１０４  第１の接続折り曲げ部
１１０  第２のメインプレート
１１２  第２のサイドウイングプレート
１１４  第２の接続折り曲げ部
２００  第１の貫通口
３００  第２の貫通口
１０２０  第１の当接プレート
１１２０  第２の当接プレート
【図１】
0003207161.tif 000003
【図２】
0003207161.tif 000004
【図３】
0003207161.tif 000005
【図４】
0003207161.tif 000006
【図５】
0003207161.tif 000007
【図６】
0003207161.tif 000008
【図７】
0003207161.tif 000009
【手続補正書】
【提出日】平成28年9月13日(2016.9.13)
【手続補正１】
【補正対象書類名】図面
【補正対象項目名】図１
【補正方法】変更
【補正の内容】
【図１】
0003207161.tif 000010
【手続補正２】
【補正対象書類名】図面
【補正対象項目名】図７
【補正方法】変更
【補正の内容】
【図７】
0003207161.tif 000011